【手続補正書】
【提出日】平成21年3月19日(2009.3.19)
【手続補正１】
【補正対象書類名】特許請求の範囲
【補正対象項目名】全文
【補正方法】変更
【補正の内容】
【特許請求の範囲】
【請求項１】
被手術眼に対峙される対物レンズと、
前記被手術眼と前記対物レンズとの間に挿脱され、その挿脱を検知する検知手段を有する前置レンズと、
前記被手術眼を照明するための照明光を発生し、その照明光の光束が前記被手術眼の観察に用いられる観察光束の光軸に対してなす角度を変更する照明手段と、
前記検知手段の動作に基づく信号により、前記前置レンズの挿脱に対応して前記照明手段を連動動作させて被手術眼の観察を行うための制御手段と、
からなることを特徴とする手術用顕微鏡。
【請求項２】
前記対物レンズ及び／又は前記前置レンズを前記被手術眼の光軸方向に移動させるための移動手段と、
前記移動手段を駆動するためのスイッチング手段と、及び
前記検知手段の動作に基づく信号により、前記制御手段は、更に上記スイッチング手段と各手段を相互に連動して被手術眼の観察を行う制御をするようにしたことを特徴とする、請求項１に記載の手術用顕微鏡。
【請求項３】
被手術眼に対峙される対物レンズと、
前記被手術眼と前記対物レンズとの間に挿脱され、その挿脱を検知する検知手段を有する前置レンズと、
前記前置レンズが前記被手術眼と前記対物レンズとの間に挿入されているときに倒像として得られる前記被手術眼の観察像を正立像に変換するための光学ユニットと、
前記光学ユニットを前記被手術眼から出射される観察光束の光路上に挿脱させるための光学ユニット挿脱手段と、
前記検知手段の動作に基づき、前記光学ユニット挿脱手段による前記光学ユニットの前記観察光束の光路上への挿脱を制御する制御手段を備えることを特徴とする、手術用顕微鏡。
【請求項４】
被手術眼に対峙される対物レンズと、
前記被手術眼と前記対物レンズとの間に挿脱され、その挿脱を検知する検知手段を有する前置レンズと、
前記被手術眼を観察するための左右一対の接眼レンズと、
前記被手術眼から出射される前記観察光束を前記左右一対の接眼レンズにそれぞれ案内する左右一対の光学系と、
前記左右一対の光学系によりそれぞれ案内される前記観察光束の光軸の相対的位置を変更するための光軸位置変更素子と、
前記光軸位置変更素子を前記観察光束の光路上に挿脱させるための光軸位置変更素子挿脱手段と、
前記検知手段の動作に基づき、前記光軸位置変更素子挿脱手段による前記光軸位置変更素子の前記観察光束の光路上への挿脱を制御する制御手段を備えることを特徴とする、手術用顕微鏡。
【請求項５】
被手術眼に対峙される対物レンズと、
前記被手術眼と前記対物レンズとの間に挿脱され、その挿脱を検知する検知手段を有する前置レンズと、
前記前置レンズが前記被手術眼と前記対物レンズとの間に挿入されているときに倒像として得られる前記被手術眼の観察像を正立像に変換するための光学ユニットと、
前記光学ユニットを前記被手術眼から出射される観察光束の光路上に挿脱させるための光学ユニット挿脱手段と、
前記前置レンズの挿脱に対応して、前記光学ユニット挿脱手段による挿脱を制御する制御手段を備えることを特徴とする、手術用顕微鏡。
【請求項６】
被手術眼に対峙される対物レンズと、
前記被手術眼と前記対物レンズとの間に挿脱され、その挿脱を検知する検知手段を有する前置レンズと、
前記被手術眼を観察するための左右一対の接眼レンズと、
前記被手術眼から出射される前記観察光束を前記左右一対の接眼レンズにそれぞれ案内する左右一対の光学系と、
前記左右一対の光学系によりそれぞれ案内される前記観察光束の光軸の相対的位置を変更するための光軸位置変更素子と、
前記光軸位置変更素子を前記観察光束の光路上に挿脱させるための光軸位置変更素子挿脱手段と、
前記前置レンズの挿脱に対応して、前記一対の接眼レンズ、一対の光学系、及び前記光軸位置変更素子の前記観察光束の光路上への挿脱を制御する制御手段を備えることを特徴とする、手術用顕微鏡。
【請求項７】
被手術眼に対峙される対物レンズと、
前記被手術眼と前記対物レンズとの間に挿脱され、その挿脱を検知する検知手段を有する前置レンズと、
前記前置レンズの挿脱に対応して、前記移動手段による前記対物レンズ及び／又は前記前置レンズの前記被手術眼に対する移動の方向を制御する制御手段を備えることを特徴とする、手術用顕微鏡。
【請求項８】
被手術眼に対峙される対物レンズと、
前記被手術眼と前記対物レンズとの間に挿脱され、その挿脱を検知する検知手段を有する前置レンズと、
前記移動手段により前記対物レンズ及び前記前置レンズが前記被手術眼から離間する方向に移動されるまで、前記被手術眼と前記対物レンズとの間への前記前置レンズの挿入を禁止するよう制御する制御手段を備えることを特徴とする、手術用顕微鏡。
【請求項９】
被手術眼に対峙される対物レンズと、
前記被手術眼と前記対物レンズとの間に挿脱され、その挿脱を検知する検知手段を有する前置レンズと、
前記前置レンズが前記被手術眼と前記対物レンズとの間から退避されるまで、前記移動手段による前記対物レンズ及び前記前置レンズの前記被手術眼に近接する方向への移動を禁止するように制御する制御手段を備えることを特徴とする、手術用顕微鏡。
【請求項１０】
被手術眼に対峙される対物レンズと、
前記被手術眼と前記対物レンズとの間に挿脱され、その挿脱を検知する検知手段を有する前置レンズと、
前記前置レンズを前記観察光束の光軸の方向に移動するための前置レンズ移動手段と、
前記前置レンズの挿脱に対応して、前記前置レンズを所定の初期位置に復帰させるよう前記前置レンズ移動手段を制御する制御手段を備えることを特徴とする、手術用顕微鏡。
【請求項１１】
被手術眼に対峙される対物レンズと、
前記被手術眼と前記対物レンズとの間に挿脱され、その挿脱を検知する検知手段を有する前置レンズと、
前記被手術眼の前記観察像のズーム倍率を変更するためのズーム倍率変更手段と、
前記前置レンズの挿脱に対応して、前記ズーム倍率を所定の初期倍率に復帰させるよう前記ズーム倍率変更手段を制御する制御手段を備えることを特徴とする、手術用顕微鏡。
【請求項１２】
前記前置レンズが所定の収納位置に収納されているか否かを検知するための検知手段を更に含み、
前記制御手段は、前記検知手段による検知結果に基づいて、前記前置レンズの挿脱をも判断することを特徴とする、請求項２ないし請求項１１のいずれか一項に記載の手術用顕微鏡。
【請求項１３】
前記各連動スイッチング操作を行うフットスイッチを更に備えたことを特徴とする、請求項１ないし請求項１２のいずれか一項に記載の手術用顕微鏡。
【手続補正２】
【補正対象書類名】明細書
【補正対象項目名】００１４
【補正方法】変更
【補正の内容】
【００１４】
上記目的を達成するために、請求項１に記載の発明は、被手術眼に対峙される対物レンズと、前記被手術眼と前記対物レンズとの間に挿脱され、その挿脱を検知する検知手段を有する前置レンズと、前記被手術眼を照明するための照明光を発生し、その照明光の光束が前記被手術眼の観察に用いられる観察光束の光軸に対してなす角度を変更する照明手段と、前記検知手段の動作に基づく信号により、前記前置レンズの挿脱に対応して前記照明手段を連動動作させて被手術眼の観察を行うための制御手段と、からなることを特徴とする手術用顕微鏡である。
【手続補正３】
【補正対象書類名】明細書
【補正対象項目名】００１６
【補正方法】変更
【補正の内容】
【００１６】
また、請求項３に記載の発明は、被手術眼に対峙される対物レンズと、前記被手術眼と前記対物レンズとの間に挿脱され、その挿脱を検知する検知手段を有する前置レンズと、前記前置レンズが前記被手術眼と前記対物レンズとの間に挿入されているときに倒像として得られる前記被手術眼の観察像を正立像に変換するための光学ユニットと、前記光学ユニットを前記被手術眼から出射される観察光束の光路上に挿脱させるための光学ユニット挿脱手段と、前記検知手段の動作に基づき、前記光学ユニット挿脱手段による前記光学ユニットの前記観察光束の光路上への挿脱を制御する制御手段を備えることを特徴とする手術用顕微鏡である。
【手続補正４】
【補正対象書類名】明細書
【補正対象項目名】００１７
【補正方法】変更
【補正の内容】
【００１７】
また、請求項４に記載の発明は、被手術眼に対峙される対物レンズと、前記被手術眼と前記対物レンズとの間に挿脱され、その挿脱を検知する検知手段を有する前置レンズと、前記被手術眼を観察するための左右一対の接眼レンズと、前記被手術眼から出射される前記観察光束を前記左右一対の接眼レンズにそれぞれ案内する左右一対の光学系と、前記左右一対の光学系によりそれぞれ案内される前記観察光束の光軸の相対的位置を変更するための光軸位置変更素子と、前記光軸位置変更素子を前記観察光束の光路上に挿脱させるための光軸位置変更素子挿脱手段と、前記検知手段の動作に基づき、前記光軸位置変更素子挿脱手段による前記光軸位置変更素子の前記観察光束の光路上への挿脱を制御する制御手段を備えることを特徴とする手術用顕微鏡である。
【手続補正５】
【補正対象書類名】明細書
【補正対象項目名】００１８
【補正方法】変更
【補正の内容】
【００１８】
また、請求項５に記載の発明は、被手術眼に対峙される対物レンズと、前記被手術眼と前記対物レンズとの間に挿脱され、その挿脱を検知する検知手段を有する前置レンズと、前記前置レンズが前記被手術眼と前記対物レンズとの間に挿入されているときに倒像として得られる前記被手術眼の観察像を正立像に変換するための光学ユニットと、前記光学ユニットを前記被手術眼から出射される観察光束の光路上に挿脱させるための光学ユニット挿脱手段と、前記前置レンズの挿脱に対応して、前記光学ユニット挿脱手段による挿脱を制御する制御手段を備えることを特徴とする手術用顕微鏡である。
【手続補正６】
【補正対象書類名】明細書
【補正対象項目名】００１９
【補正方法】変更
【補正の内容】
【００１９】
また、請求項６に記載の発明は、被手術眼に対峙される対物レンズと、前記被手術眼と前記対物レンズとの間に挿脱され、その挿脱を検知する検知手段を有する前置レンズと、前記被手術眼を観察するための左右一対の接眼レンズと、前記被手術眼から出射される前記観察光束を前記左右一対の接眼レンズにそれぞれ案内する左右一対の光学系と、前記左右一対の光学系によりそれぞれ案内される前記観察光束の光軸の相対的位置を変更するための光軸位置変更素子と、前記光軸位置変更素子を前記観察光束の光路上に挿脱させるための光軸位置変更素子挿脱手段と、前記前置レンズの挿脱に対応して、前記一対の接眼レンズ、一対の光学系、及び前記光軸位置変更素子の前記観察光束の光路上への挿脱を制御する制御手段を備えることを特徴とする手術用顕微鏡である。
【手続補正７】
【補正対象書類名】明細書
【補正対象項目名】００２０
【補正方法】変更
【補正の内容】
【００２０】
また、請求項７に記載の発明は、被手術眼に対峙される対物レンズと、前記被手術眼と前記対物レンズとの間に挿脱され、その挿脱を検知する検知手段を有する前置レンズと、前記前置レンズの挿脱に対応して、前記移動手段による前記対物レンズ及び／又は前記前置レンズの前記被手術眼に対する移動の方向を制御する制御手段を備えることを特徴とする手術用顕微鏡である。
【手続補正８】
【補正対象書類名】明細書
【補正対象項目名】００２１
【補正方法】変更
【補正の内容】
【００２１】
また、請求項８に記載の発明は、被手術眼に対峙される対物レンズと、前記被手術眼と前記対物レンズとの間に挿脱され、その挿脱を検知する検知手段を有する前置レンズと、前記移動手段により前記対物レンズ及び前記前置レンズが前記被手術眼から離間する方向に移動されるまで、前記被手術眼と前記対物レンズとの間への前記前置レンズの挿入を禁止するよう制御する制御手段を備えることを特徴とする手術用顕微鏡である。
【手続補正９】
【補正対象書類名】明細書
【補正対象項目名】００２２
【補正方法】変更
【補正の内容】
【００２２】
また、請求項９に記載の発明は、被手術眼に対峙される対物レンズと、前記被手術眼と前記対物レンズとの間に挿脱され、その挿脱を検知する検知手段を有する前置レンズと、前記前置レンズが前記被手術眼と前記対物レンズとの間から退避されるまで、前記移動手段による前記対物レンズ及び前記前置レンズの前記被手術眼に近接する方向への移動を禁止するように制御する制御手段を備えることを特徴とする手術用顕微鏡である。
【手続補正１０】
【補正対象書類名】明細書
【補正対象項目名】００２３
【補正方法】変更
【補正の内容】
【００２３】
また、請求項１０に記載の発明は、被手術眼に対峙される対物レンズと、前記被手術眼と前記対物レンズとの間に挿脱され、その挿脱を検知する検知手段を有する前置レンズと、前記前置レンズを前記観察光束の光軸の方向に移動するための前置レンズ移動手段と、前記前置レンズの挿脱に対応して、前記前置レンズを所定の初期位置に復帰させるよう前記前置レンズ移動手段を制御する制御手段を備えることを特徴とする手術用顕微鏡である。
【手続補正１１】
【補正対象書類名】明細書
【補正対象項目名】００２４
【補正方法】変更
【補正の内容】
【００２４】
また、請求項１１に記載の発明は、被手術眼に対峙される対物レンズと、前記被手術眼と前記対物レンズとの間に挿脱され、その挿脱を検知する検知手段を有する前置レンズと、前記被手術眼の前記観察像のズーム倍率を変更するためのズーム倍率変更手段と、前記前置レンズの挿脱に対応して、前記ズーム倍率を所定の初期倍率に復帰させるよう前記ズーム倍率変更手段を制御する制御手段を備えることを特徴とする手術用顕微鏡である。